(57)【要約】【課題】採取された水棲昆虫に損傷を与えないで生かしたまま収容可能な釣り用餌箱を提供すること。【解決手段】餌箱１０は、容器本体１１と蓋体１２とを備える。容器本体１１に蓋体１２が一体的に設けられている。前壁１３、後壁１４、側壁１５，１６、底面部１７を有する。これら各壁部は、１枚の二層シート２５で構成されている。餌箱１０がシート状に展開された状態で、水棲昆虫を採取するための採取具として使用することができる。二層シート２５は隔壁部の境界で折り曲げ可能に構成されている。餌箱１０は、二層シート２５が折り曲げられることによって容器姿勢に変化する。各壁部が折り曲げられた際に衝合する縁部に切り欠き３８等と突起片３９等が形成されている。切り欠き３８等に突起片３９等が嵌め入れられることにより、餌箱１０の容器姿勢が保持される。【選択図】図３
2008029275.tif 000002
【特許請求の範囲】
【請求項１】
少なくとも不織布を有してなり、シート状に展開された展開姿勢と所定部位が屈曲変形されることにより釣り餌を収容し得る容器形状を呈する容器姿勢との間で姿勢変化可能に形成された餌箱本体と、
上記餌箱本体が上記容器姿勢に変化された際に該容器姿勢を保持する保持具とを備えた釣り用餌箱。
【請求項２】
上記餌箱本体は、上記容器姿勢に保持された状態で、底部及び該底部の周縁に立設された壁部を有し、上面に開口が形成された容器形状を呈する請求項１に記載の釣り用餌箱。
【請求項３】
上記餌箱本体は、上記容器姿勢に保持された状態で、直方体形状または立方体形状を呈する請求項１または２に記載の釣り用餌箱。
【請求項４】
上記底部と上記壁部との境界に沿って、断面形状が略Ｖ字状の溝が形成されている請求項２または３に記載の釣り用餌箱。
【請求項５】
不織布を有してなる板状部材からなり、上記開口を開閉する蓋部材をさらに備える請求項２から４のいずれかに記載の釣り用餌箱。
【請求項６】
上記蓋部材は、上記壁部の上端に連続して上記餌箱本体と一体に形成されている請求項５に記載の釣り用餌箱。
【請求項７】
上記餌箱本体は、上記容器姿勢に保持された状態で、対向配置された一対の壁部を有する袋状に形成されている請求項１に記載の釣り用餌箱。
【請求項８】
上記餌箱本体は、上記容器姿勢に保持された状態で、容器内面を構成する不織布と、該不織布を支持するとともに容器外面を構成するフレームとを備える請求項１から７のいずれかに記載の釣り用餌箱。
【請求項９】
上記保持具は、上記餌箱本体が上記容器姿勢に変化された際に衝合される縁部同士を接合して該容器姿勢を保持するものである請求項１から８のいずれかに記載の釣り用餌箱。
【請求項１０】
上記保持具は、上記縁部に交互に連続して形成された凹部及び凸部を備え、各縁部の凹部及び凸部が互いに噛み合わされることにより該縁部同士を接合するものである請求項９に記載の釣り用餌箱。
【請求項１１】
上記保持具は、面ファスナー或いは磁力吸着部材である請求項９に記載の釣り用餌箱。
【請求項１２】
上記保持具は、上記餌箱本体を収容するとともに内壁によって該餌箱本体を上記容器姿勢に保持する保持用容器である請求項１から８のいずれかに記載の釣り用餌箱。
【請求項１３】
上記保持用容器は、防水性を有する請求項１２に記載の釣り用餌箱。
【発明の詳細な説明】
【技術分野】
【０００１】
本発明は、魚の餌となるヒラタカゲロウの幼虫などの水棲昆虫を収容する釣り用餌箱に関し、特に、水棲昆虫の採取具として兼用することが可能な釣り用餌箱に関する。
【背景技術】
【０００２】
イワナやヤマメ、アマゴといった渓流魚を対象とする渓流釣りにおいては、渓流に潜む水棲昆虫を釣り餌として用いる餌釣りが知られている。この餌釣りに用いられる釣り餌としては、トビケラ、カワゲラ、カゲロウなどの幼虫が適しており、特に、カゲロウ目に属するヒラタカゲロウの幼虫は、魚の食いつきがよく、従来から釣人の間では釣り餌としての評判が高い。釣人は、実釣の際に、釣り餌となる水棲昆虫を予め採取しておき、生かした状態で釣り用餌箱（特許文献１参照）に収容して保管する。
【０００３】
ヒラタカゲロウやその仲間（以下「カゲロウ類」と称する。）の幼虫は、流れの早い場所で石の表面にへばりつくような状態で生息している。従来、カゲロウ類の幼虫の採取は、流れのあるところで下流に網を構え、直ぐ上流の石を持ち上げて水中で石を洗うように揺らし、石から離脱して下流に流れた幼虫を網で捕獲することにより行われる。また、ヘチマやタオル、或いは特許文献２に記載の不織布などの繊維束で水中の石を撫で、石からカゲロウ類の幼虫を剥ぎ取ると共に剥ぎ取られた幼虫を上記繊維束に転移させることにより採取する手法も知られている。
【０００４】
【特許文献１】特開２００６−６１６５号公報
【特許文献２】特開平８−７０７４７号公報
【発明の開示】
【発明が解決しようとする課題】
【０００５】
ところで、上記カゲロウ類の幼虫は、体形が非常に扁平で、足や触角が細く、胴体がきわめて柔らかい。そのため、石や上記繊維束に付着した幼虫を釣り用餌箱に移す際に指やピンセットで幼虫を摘むと、該幼虫の足や触角が取れたり、胴体が潰れてしまう場合がある。また、この場合、カゲロウ類の幼虫に外観上の損傷が生じていなくても、胴体内部に損傷が生じ、上記幼虫を長時間生かしておくことができないという問題も生じ得る。
【０００６】
そこで、本発明は上記事情に鑑みてなされたものであり、その目的とするところは、採取された水棲昆虫に損傷を与えないで生かしたまま収容可能な釣り用餌箱を提供することにある。
【課題を解決するための手段】
【０００７】
(1)  上記目的が達成されるため、本発明に係る釣り用餌箱は、少なくとも不織布を有してなり、シート状に展開された展開姿勢と所定部位が屈曲変形されることにより釣り餌を収容し得る容器形状を呈する容器姿勢との間で姿勢変化可能に形成された餌箱本体と、上記餌箱本体が上記容器姿勢に変化された際に該容器姿勢を保持する保持具とを備えている。
【０００８】
釣り用餌箱が備える餌箱本体は、シート状に展開された展開姿勢と、容器形状を呈する容器姿勢との間で姿勢変化することが可能である。この餌箱本体は、上記展開姿勢に変化された状態で、水棲昆虫を採取するための採取具として利用することができる。具体的には、上記展開姿勢に変化された状態の餌箱本体で水中の石を撫でると、餌箱本体を構成する不織布の不規則に延びる繊維が石に付着した水棲昆虫（ヒラタカゲロウやその仲間の幼虫など）を当該石から剥がすとともに、剥がされた水棲昆虫を不織布に転移させることができる。
【０００９】
このようにして上記幼虫を不織布に転移させた後は、幼虫が転移した面が容器内面となるように所定部位を屈曲変形させて、餌箱本体を上記容器姿勢に変形させる。餌箱本体の容器姿勢は、保持具によって保持される。
【００１０】
(2)  上記餌箱本体は、上記容器姿勢に保持された状態で、底部及び該底部の周縁に立設された壁部を有し、上面に開口が形成された容器形状を呈するものであることが好ましい。
【００１１】
この構成であれば、採取した水棲昆虫を釣り用餌箱の底部に安定的に保管することができる。また、壁部を設けることで、水棲昆虫の逃げ出しを防ぐことができる。
【００１２】
(3)  上記餌箱本体は、上記容器姿勢に保持された状態で、直方体形状または立方体形状を呈するものであってもよい。
【００１３】
実釣における釣り用餌箱の安定性、操作性という観点から、餌箱本体は、上述の如く直方体形状または立方体形状に形成されていることが好ましい。このような形状の釣り用餌箱であれば、釣人は、釣り餌である水棲昆虫を釣り用餌箱から容易に取り出すことができる。
【００１４】
(4)  上記底部と上記壁部との境界に沿って、断面形状が略Ｖ字状の溝が形成されていることが好ましい。
【００１５】
このような溝が形成されているため、その溝を折目として餌箱本体を容易に折り曲げることができる。また、溝に沿って餌箱本体が折り曲げられるため、折曲線が蛇行したり、湾曲したりすることなく、水棲昆虫が収容される空間が整然と区画された釣り用餌箱を構成することができる。
【００１６】
(5)  不織布を有してなる板状部材からなり、上記開口を開閉する蓋部材をさらに備えていてもよい。
【００１７】
この蓋部材が備えられることで、餌箱本体の開口からの水棲昆虫の逃げ出しを防止するとともに、太陽光の入射を遮断して、釣り用餌箱の温度上昇による水棲昆虫の死滅、腐敗、乾燥を防止することができる。
【００１８】
(6)  上記蓋部材は、上記壁部の上端に連続して上記餌箱本体と一体に形成されている。
【００１９】
このように、餌箱本体と蓋部材とが一体に形成された構成であれば、水棲昆虫の採取具として釣り用餌箱を用いた場合に、水棲昆虫を採取することが可能な面（領域）が広くなる。したがって、釣人は、この釣り用餌箱でより多くの水棲昆虫を採取することができ、より多くの水棲昆虫を該釣り用餌箱に収容することができる。
【００２０】
(7)  上記餌箱本体は、上記容器姿勢に保持された状態で、対向配置された一対の壁部を有する袋状に形成されたものであってもよい。
【００２１】
この構成によれば、餌箱本体を簡単に構成することができる。これにより、釣人は、餌箱本体を展開姿勢から容器姿勢へ容易に変化させることができるため、水棲昆虫を採取した後に、直ちに実釣に移ることができる。
【００２２】
(8)  上記餌箱本体は、上記容器姿勢に保持された状態で、容器内面を構成する不織布と、該不織布を支持するとともに容器外面を構成するフレームとを備えたものであることが望ましい。
【００２３】
不織布のみで上記餌箱本体を構成することも本発明の一例として考えられる。しかしながら、不織布のみで餌箱本体を構成すると、外力の付加によって釣り用餌箱自体が変形し、内部に収容された水棲昆虫を圧迫させて潰してしまうおそれがある。一方、上述の如く、容器内面を不織布で構成し、容器外面をフレームで構成したものであれば、不織布の変形が該フレームによって防止されるため、不織布に絡み付いた水棲昆虫を上記外力から保護することができる。なお、上記フレームは、上記不織布よりも剛性の大きい素材で構成された板部材からなり、例えば、合成樹脂板、木製の薄板、金属板などがその一例である。
【００２４】
(9)  上記保持具は、上記餌箱本体が上記容器姿勢に変化された際に衝合される縁部同士を接合して該容器姿勢を保持するものであることが好ましい。
【００２５】
(10)  上記保持具の具体例としては、上記縁部に交互に連続して形成された凹部及び凸部を備え、各縁部の凹部及び凸部が互いに噛み合わされることにより該縁部同士を接合するものが考えられる。
【００２６】
(11)  また、上記保持具の他の具体例としては、面ファスナー或いは磁力吸着部材であってもよい。これら面ファスナー或いは磁力吸着部材を上記縁部に設けることにより、該縁部同士を簡単に接合することができる。
【００２７】
(12)  また、上記保持具は、上記餌箱本体を収容すると共に内壁によって該餌箱本体を上記容器姿勢に保持する保持用容器であってもよい。
【００２８】
この構成によれば、餌箱本体の上記容器姿勢が上記保持用容器によって確実に規制される。したがって、実釣において釣人が釣り用餌箱を携行する際に、当該釣り用餌箱に付与された振動や衝撃などによって餌箱本体の容器姿勢が崩れる心配がない。
【００２９】
(13)  この場合、上記保持用容器は、防水性を有していることが好ましい。
【００３０】
この構成であれば、餌箱本体を容器に収容することで、当該餌箱本体を上記容器姿勢に保持するだけでなく、不織布に吸収された水分の蒸発や漏水による水棲昆虫の死滅、乾燥をより効果的に防止することができる。
【発明の効果】
【００３１】
本発明によれば、餌箱本体は、展開姿勢と容器姿勢との間で姿勢変化可能に構成されており、上記容器姿勢に変形された際にその容器姿勢を上記保持具で保持することができる。したがって、上記展開姿勢の状態で、釣り用餌箱を、水棲昆虫を採取するための採取具として用いることができ、上記容器姿勢にされた状態で、本来の目的である餌箱として用いることができる。このような釣り用餌箱であれば、採取された水棲昆虫を摘んで移動させるという動作を要しない。したがって、採取された水棲昆虫に損傷を与えないで釣り用餌箱内に当該水棲昆虫を生かしたまま容易に収容することができる。
【発明を実施するための最良の形態】
【００３２】
以下、適宜図面が参照されつつ、好ましい実施形態に基づいて本発明が詳細に説明される。なお、以下の実施形態は本発明が具体化された一例にすぎず、本発明の要旨を変更しない範囲で、実施形態が適宜変更され得ることは勿論である。
【００３３】
《第１の実施形態》
図１から図４は、本発明の第１の実施形態に係る餌箱１０（本発明の釣り用餌箱の一例）の外観斜視図である。図１には、蓋体１２（本発明の蓋部材に相当）が閉じられた状態の餌箱１０が示されており、図２には、蓋体１２が開けられた状態の餌箱１０が示されている。また、図３には、側壁１５が展開された状態の餌箱１０が示されており、図４には、前壁１３及び両側壁１５，１６が展開された状態の餌箱１０が示されている。また、図５は、餌箱１０が完全に展開された展開状態（展開姿勢）を示す斜視図であり、図６は、餌箱１０が完全に展開された展開状態を示す平面図である。なお、図５では、説明の便宜上、不織布シート２７を部分的に省略している。
【００３４】
餌箱１０は、渓流釣りの際に釣人によって携行されるものである。この餌箱１０は、渓流に生息する水棲昆虫、具体的には、トビケラ、カワゲラ、カゲロウなどの幼虫を釣り餌として収容するための容器として使用されるのみならず、上記幼虫を採取するための採取具としても使用される。以下、本発明の第１の実施形態に係る餌箱１０について詳述される。
【００３５】
餌箱１０は、大別して、容器本体１１（本発明の餌箱本体に相当）と、容器本体１１の上面を覆う蓋体１２とを備えて構成されている。上記容器本体１１は、図１から図４に示されるように、上面に開口２０（図２参照）が形成され、内部に餌収容室２１（図２参照）が形成された容器形状を呈する。この容器本体１１は、底面部１７（本発明の底部に相当）と、該底面部１７の周縁に立設された前壁１３、後壁１４及び側壁１５，１６（いずれも本発明の壁部に相当）を備える。上記前壁１３、後壁１４、側壁１５，１６、底面部１７の各部材によって上記餌収容室２１が区画される。この餌収容室２１に、釣り餌となる水棲昆虫が収容される。
【００３６】
上記前壁１３、後壁１４、側壁１５，１６、底面部１７の各部材は矩形状に形成されている。したがって、容器本体１１は、直方体形状に形成されている。なお、容器本体１１が必ずしも直方体形状に形成されている必要はなく、例えば、立方体形状に形成されていてもよい。或いは、容器本体１１が、底面部１７が円或いは楕円に形成されており、その周縁に側壁が立設された円柱形状或いは楕円柱形状に形成されたものであってもよい。ただし、餌箱１０の安定性、操作性という観点からすると、容器本体１１は、円柱形状や楕円柱形状よりも、直方体形状或いは立方体形状に形成されていることが望ましい。なお、言うまでもないが、容器本体１１が完全な直方体形状や立方体形状である必要はなく、例えば、角部が湾曲状に形成されていてもよい。
【００３７】
蓋体１２は、容器本体１１の上面の形状に対応した矩形状に形成されている。この蓋体１２は、容器本体１１の後壁１４側を軸として回動可能に支持されている。詳細には、上記蓋体１２は、容器本体１１の上面を覆って上記開口２０を閉塞する閉塞姿勢と、上記開口２０を開放する開放姿勢との間で姿勢変化可能に上記後壁１４の上縁で支持されている。この蓋体１２が設けられることにより、容器本体１１に収容した水棲昆虫の逃げ出しが防止されるとともに、餌収容室２１への太陽光の入射を遮断して、温度上昇による水棲昆虫の死滅、腐敗、乾燥が防止される。なお、本第１の実施形態では、水棲昆虫の逃げ出しや死滅等を防止する観点から、容器本体１１に蓋体１２設けることとしたが、本発明を具現化する上で、蓋体１２は必須の構成ではない。したがって、餌箱１０から蓋体１２を省略してもかまわない。
【００３８】
蓋体１２は、後述されるように、容器本体１１の後壁１４と一体に形成されている。後壁１４の上縁付近で該後壁１４に対して蓋体１２を折り曲げ可能に構成することにより、蓋体１２の回動機構が具現化されている。
【００３９】
図１に示されるように、蓋体１２には、把手１８（図１参照）が設けられている。この把手１８は、細長の紐状部材の両端が蓋体１２の表面に固定されることにより構成される。釣人は、把手１８を掴んで上方へ引っ張ることで、蓋体１２を容易に上方へ回動させることができる。把手１８と蓋体１２の上面とにより形成された半月状の環部１９は、例えば２本または３本の指を挿通可能なサイズに設定されている。釣人は、餌箱１０を後述の如く展開姿勢（図５及び図６参照）に展開して水棲昆虫を採取するための採取具として使用する場合は、上記環部１９に指を挿通させて展開された餌箱１１を手の平に固定する。なお、上記把手１８を伸縮性のあるゴムなどの弾性部材で構成すれば、環部１９に挿通した指を適度に締め付けて展開姿勢の餌箱１０を手の平に緩みなく固定することができる。
【００４０】
餌箱１０は、図１から図５に示されるように、材質の異なる２種類のシートが厚み方向に積層された二層構造の二層シート２５（本発明の板状部材に相当）で構成されている。この二層シート２５が所定の部位に形成された折目溝４６〜４９（図５参照）で折り曲げられることによって、該二層シート２５は、図５に示される展開姿勢から図１に示される容器形状を呈する容器姿勢に変化される。言い換えれば、餌箱１０は、二層シート２５が同一面上に展開された展開姿勢（図５参照）と、釣り餌を収容し得る餌収容室２１を備えた容器姿勢（図１参照）との間で姿勢変化することが可能である。以下、餌箱１０の詳細な構造について説明される。
【００４１】
図５に示されるように、二層シート２５は、薄肉板状のフレーム本体２６（本発明のフレームに相当）と、不織布シート２７（図中の網掛け部分）とを有する。フレーム本体２６の片方の面２８に不織布シート２７が接着などによって貼り付けられている。これにより、上記二層シート２５の二層構造が実現されている。不織布シート２７は、フレーム本体２６が有する面のうち、餌箱１０が図１に示す容器姿勢に変化したときに容器内面側を向く面２８に貼り付けられる。なお、フレーム本体２６が有する面のうち不織布シート２７が貼り付けられない面（上記面２８と反対側の面）は、餌箱１０の外装面（本発明の容器外面に相当）を構成する。
【００４２】
フレーム本体２６は、合成樹脂を金型で成形することにより得られる。このフレーム本体２６の肉厚寸法は、餌箱１０の外形寸法に応じて適宜設定することができ、本第１の実施形態では、概ね、１．０ｍｍ〜３．０ｍｍ程度に設定され得る。なお、言うまでもないが、フレーム本体２６の肉厚は上記寸法に限定されない。また、フレーム本体２６を合成樹脂以外の材質、例えば、木材、金属などで構成してもよい。要するに、餌箱１０のフレームとして要求される程度の剛性を有するものであれば、如何なる素材を採用してもよく、如何なる肉厚寸法に設定してもよい。
【００４３】
図５に示されるように、フレーム本体２６は、蓋体１２、前壁１３、後壁１４、側壁１５，１６、底面部１７（図４参照）の各部材に対応する蓋プレート３２、前壁プレート３３、後壁プレート３４、側壁プレート３５，３６、底面プレート３７を有する。これら各プレート３２〜３７は、蓋体１２、前壁１３、後壁１４、側壁１５，１６、底面部１７の各部材の形状に概ね一致されており、すなわち、略矩形状に形成されている。
【００４４】
フレーム本体２６は、図５に示されるように、底面プレート３７の４つの端縁それぞれに前壁プレート３３、後壁プレート３４、側壁プレート３５，３６が連続して設けられている。また、後壁プレート３４の４つの端縁のうち、底面プレート３７側の端縁に対向する端縁に、蓋プレート３２が連続して設けられている。したがって、フレーム本体２６は、図６に示されるように、平面視で、略十字形状を呈する。
【００４５】
図５に示されるように、後壁プレート３４と底面プレート３７は、その境界で折り曲げ可能に構成されている。具体的には、後壁プレート３４と底面プレート３７との境界線に沿って、折目溝４７が形成されている。折目溝４７の溝幅は概ねフレーム本体２６の厚みと同程度に設定されている。このような折目溝４７が設けられているため、後壁プレート３４は、図４に示されるように、底面プレート３７との境界線で容易に折り曲げられる。本第１の実施形態では、上記折目溝４７の断面形状は略Ｖ字状に形成されている。従って、後壁プレート３４は、底面プレート３７に対して容易に、しかも、折目溝４７に沿ってまっすぐに折り曲げることができる。したがって、折曲線が蛇行したり、湾曲したりすることがなくなる。
【００４６】
前壁プレート３３と底面プレート３７、側壁プレート３５，３６と底面プレート３７も、各境界で折り曲げ可能に構成されており、各プレートの境界線に沿って、上記折目溝４７と同形状の折目溝４６，４８（図５参照）がそれぞれ形成されている。したがって、前壁プレート３３は、図２及び図３に示されるように、底面プレート３７との境界線で容易に折り曲げられる。また、側壁プレート３５，３６も、底面プレート３７との境界線で容易に折り曲げられる。
【００４７】
蓋プレート３２と後壁プレート３４も、その境界で折り曲げ可能に構成されており、具体的には、蓋プレート３２と後壁プレート３４との境界線に沿って、上記折目溝４７と同形状の折目溝４９（図５参照）が形成されている。この折目溝４９が設けられているため、蓋プレート３２は、図１及び図２に示されるように、後壁プレート３４との境界線で容易に折り曲げられる。このような折目溝４６〜４９が各プレート３２〜３７の境界線に沿って形成され、この折目溝４６〜４９に沿ってフレーム本体２６が折り曲げられることにより、折曲線が蛇行や湾曲しなくなり、整然と区画された直方体形状の容器本体１１と、その上面を覆う蓋体１２とが一体に形成される。
【００４８】
図４及び図５に示されるように、蓋プレート３２、前壁プレート３３、後壁プレート３４、側壁プレート３５，３６、底面プレート３７の各プレートには、不織布シート２７が貼り付けられている。この不織布シート２７は、水棲昆虫を採取するために設けられている。不織布シート２７は、所定の繊維を交差させて絡めた状態で互いに接着することによりシート状に形成されたものである。不織布シート２７に用いる繊維としては、絹や木綿などの天然繊維、ナイロンやアクリル、ポリエステルなどの人工繊維を用いることが可能である。本第１の実施形態では、採取する水棲昆虫の触角や足を損傷しない程度の微小径の繊維で上記不織布シート２７を形成している。具体的には、１．５デニール〜５．０デニール(denier)の繊維で形成された不織布シート２７を採用している。この不織布シート２７の肉厚寸法は、１０．０ｍｍ〜２０．０ｍｍ程度に設定され得る。なお、言うまでもないが、不織布シート２７の肉厚は上記寸法に限定されない。
【００４９】
図５及び図６に示されるように、蓋プレート３２、前壁プレート３３、後壁プレート３４及び側壁プレート３５，３６の各プレートには、これらプレートと同形状の不織布シート２７が貼り付けられている。
【００５０】
底面プレート３７には、その中央部に、底面プレート３７よりも一回り小さいサイズの不織布シート２７が貼り付けられている。したがって、底面プレート３７の周縁には、不織布シート２７が設けられていない領域５０が設定されている。前壁プレート３３、後壁プレート３４、側壁プレート３５，３６が底面プレート３７に対して折り曲げられたときに、これら各プレート３３〜３６に貼り付けられた不織布シート２７が上記領域５０に収められる。かかる領域５０が設定けられているため、不織布シート２７が重なり合って各プレートの折り曲げを阻害するという不具合を回避することができる。
【００５１】
蓋プレート３２及び後壁プレート３４に貼り付けられた不織布シート２７は、図４及び図６に示すように、折目溝４９の付近の箇所の断面形状が略Ｖ字状にカットされた切欠部５１が設けられている。この切欠部５１は、蓋プレート３２及び後壁プレート３４の境界線に沿って設けられている。切欠部５１の切り欠き角度は概ね９０°に設定されている。このような切欠部５１が設けられているため、フレーム本体２６が折目溝４９で略直角に折り曲げられたときに、蓋プレート３２及び後壁プレート３４に貼り付けられた不織布シート２７同士が重なり合って、後壁プレート３４に対する蓋プレート３２の折り曲げを阻害するという不具合を回避することができる。
【００５２】
図５に示されるように、前壁１３には、底面部１７と連続する端縁を除く３つの端縁に、所定間隔を隔てて、複数の切り欠き３８（本発明の凹部に相当、以下同様）が形成されている。具体的には、餌箱１０が、図５に示す展開姿勢から図１に示す容器姿勢に変形された場合に、側壁１５，１６及び蓋体１２それぞれの端縁と合わさる（衝合する）３つの端縁に上記切り欠き３８が形成されている。切り欠き３８は、矩形状に形成されている。この切り欠き３８が形成されることによって、各切り欠き３８で挟まれた箇所に突起片３９（本発明の凸部に相当、以下同様）が形成される。要するに、前壁１３の縁部には、切り欠き３８と突起片３９とが交互に連続して形成されている。
【００５３】
後壁１４の端縁にも、前壁１３に形成された切り欠き３８と同形状の切り欠き４２が形成されており、それにより、後壁１４の端縁に、前壁１３に形成された突起片３９と同形状の突起片４３が形成されている。この後壁１４においては、後壁１４が底面部１７に対して折り曲げられたときに、同じく折り曲げられた側壁１５，１６の端縁と合わさる（衝合する）端縁のみに、上記切り欠き４２が形成されている。
【００５４】
側壁１５，１６の端縁にも、前壁１３に形成された切り欠き３８と同形状の切り欠き４０が形成されており、それにより、側壁１５，１６の端縁に、前壁１３に形成された突起片３９と同形状の突起片４１が形成されている。この側壁１５，１６においては、側壁１５，１６が折り曲げられたときに、同じく折り曲げられた前壁１３及び後壁１４それぞれの端縁と合わさる（衝合する）端縁のみに、上記切り欠き４０が形成されている。ただし、側壁１５，１６の切り欠き４０は、前壁１３及び後壁１４の端縁に形成された突起片３９，４３に対応する位置に設けられている。
【００５５】
蓋体１２には、前壁１３と合わさる（衝合する）端縁に切り欠き４４が形成されており、それにより、蓋体１２の端縁にも、前壁１３に形成された突起片３９と同形状の突起片４５が形成されている。この突起片４５は、前壁１３の端部と合わさる（衝合する）端縁に形成された切り欠き３８に対応する位置に設けられている。なお、蓋体１２、前壁１２，後壁１４，側壁１５，１６に形成された切り欠き及び突起片が、本発明の保持具に相当する。
【００５６】
本第１の実施形態では、保持具の一例として上記切り欠き及び突起片が例示されるが、もちろんこれらに本発明の保持具が限定される趣旨ではない。例えば、保持具の他の例として、衝合される一方の縁部に複数のフックが起毛されたフック部を設け、他方の縁部に複数のループが起毛されたループ部を設け、これらが対をなして構成される面ファスナーを用いることも可能である。また、衝合される一方の縁部に磁石（本発明の磁力吸着部材に相当）を設け、他方の縁部に磁石或いは磁性体を設けてもよい。要するに、衝合される縁部同士を接合する部材であれば、如何なるものでも採用することができる。なお、言うまでもないが、上記面ファスナーや磁石などを保持具として採用した場合は、上記切り欠き及び突起片を蓋体１２、前壁１２，後壁１４，側壁１５，１６の各壁部に形成することを要しない。
【００５７】
上述の如く構成された餌箱１０は、以下に説明される要領で、図５に示される展開姿勢から図１に示される容器姿勢に変形可能である。まず、餌箱１０が展開された状態において、後壁プレート３４を折目溝４７（図５参照）に沿って折り曲げることにより、後壁１４を底面部１７に対して垂直となるように倒立させる（図４参照）。さらに、同じ要領で、前壁プレート３３及び側壁プレート３５，３６を折目溝４６，４８（図５参照）に沿って折り曲げることにより、前壁１３及び側壁１５，１６を底面部１７に対して垂直となるように倒立させる（図２及び図３参照）。このとき、倒立された各壁部の端縁同士が合わせられて（衝合されて）、それぞれの端縁に形成された突起片が対応する切り欠きに嵌め入れられる。具体的には、側壁１５，１６の突起片４１が、前壁１３及び後壁１４の切り欠き３８，４２に嵌め入れられ、さらに、前壁１３及び後壁１４の突起片３９，４３が、側壁１５，１６の切り欠き４０に嵌め入れられる。これにより、図２に示されるように、前壁１３、後壁１４、側壁１５，１６それぞれの側方向の端縁が相互に接合されて固定される。言い換えれば、前壁１３、後壁１４、側壁１５，１６、底面部１７で構成された容器本体１１が、上面に開口２０が形成された容器姿勢に保持される。
【００５８】
続いて、蓋プレート３２を折目溝４９（図５参照）に沿って折り曲げることにより、容器本体１１の上面を覆うように蓋体１２を倒伏させる。このとき、蓋体１２の端縁に形成された突起片４５が、前壁１３の切り欠き３８に嵌め入れられ、前壁１３に形成された突起片３９が、蓋体１２に形成された切り欠き４４に嵌め入れられる。これにより、図１に示されるように、前壁１３に蓋体１２が接合されて、該蓋体１２が容器本体１１に固定される。言い換えれば、蓋体１２及び容器本体１１で構成された餌箱１０が、容器姿勢に保持される。
【００５９】
次に、上述の如く構成された餌箱１０をカゲロウ類（ヒラタカゲロウやその仲間の総称）の幼虫の採取具として用いた場合の作用について説明する。本餌箱１０を上記採取具として用いる場合は、釣人は、餌箱１０を、図１に示される容器姿勢から図５に示される展開姿勢に変化させる。上記容器姿勢から展開姿勢への姿勢変化は、上述した要領と逆の手順で行うことができる。
【００６０】
前述したように、カゲロウ類の幼虫は、流れの早い場所で石の表面にへばりつくような状態で生息している。釣人は、まず、展開姿勢に変化された餌箱１０の環部１９（図１参照）に人差し指と中指を通して、底面部１７が手の平の中心に位置するように配置する。また、残りの指で側壁１５，１６を挟み持つ。その後、水中に餌箱１０を浸して不織布シート２７に水を吸収させる。不織布シート２７に十分な水を吸い込ませた後に、不織布シート２７を石に軽く当接させて石の表面を撫でるようにスライドさせる。これにより、石からカゲロウ類の幼虫を剥ぎ取るとともに、その幼虫を不織布シート２７に転移させることができる。
【００６１】
上述したように、本第１の実施形態に係る餌箱１０は、蓋体１２、前壁１３、後壁１４，側壁１５，１６、底面部１７がその境界で折り曲げ可能に構成されている。したがって、展開された餌箱１０で石の表面を撫でる際に、石の表面の湾曲形状に応じて手の平を弧状に変化させることで、蓋体１２及び前壁１３を底面部１７に対して傾倒させることができる。言い換えれば、底面部１７、蓋体１２及び前壁１３を石の表面形状に応じて変形させることができる。また、側壁１５，１６を指で押圧することにより、側壁１５，１６を底面部１７に対して傾倒させることができる。言い換えれば、底面部１７及び側壁１５，１６を石の表面形状に応じて変形させることができる。したがって、本餌箱１０を上記採取部として用いれば、不織布シート２７の全域を表面に均等に当接させることができる。これにより、一度のスライドで多くの幼虫を採取することが可能となる。
【００６２】
カゲロウ類の幼虫を不織布シート２７に転移させた後は、上述した要領で、餌箱１０を、図５に示される展開姿勢から図１に示される容器姿勢に変形させる。これにより、採取されたカゲロウ類の幼虫を餌収容室２１に収容することができる。このように、カゲロウ類の幼虫を指やピンセットなどで摘むことを要せずに該幼虫を餌収容室２１に収容することができるため、該幼虫に損傷を与えないで元気な状態で餌箱１０に保管することができる。
【００６３】
なお、上述した第１の実施形態では、餌箱１０は、フレーム本体２６及び不織布シート２７からなる二層シート２５で構成された例について説明したが、上記不織布シート２７によって餌収容室２１が区画されていれば、二層以上の複数のシート部材が積層されたシート状の部材で餌箱１０を構成してもかまわない。もちろん、フレーム本体２６を省略して、不織布シート２７のみで餌箱１０を構成してもよい。このような構成の餌箱１０であっても、カゲロウ類の幼虫を採取する採取具として使用することができ、さらに、採取された幼虫に損傷を与えないで餌箱１０に保管することが可能である。
【００６４】
《第２の実施形態》
図７及び図８は、本発明の第２の実施形態に係る餌箱６０（本発明の釣り用餌箱の一例）の外観斜視図であり、図７には、上蓋６４が閉じられた状態の餌箱６０が示されており、図８には、上蓋６４が開けられた状態の餌箱６０が示されている。また、図９は、防水容器６１（本発明の保持用容器に相当）の外観斜視図である。餌箱６０は、上述の第１の実施形態に係る餌箱１０と防水容器６１とが組み合わされたものである。以下、本発明の第２の実施形態に係る餌箱６０について詳述される。
【００６５】
図７及び図８に示されるように、餌箱６０は、大別すると、上記第１の実施形態に係る餌箱１０と防水容器６１とを備えて構成されている。餌箱６０を構成する餌箱１０については、第１の実施形態で既に説明されているため、ここでは、餌箱１０の詳細な説明は省略される。
【００６６】
防水容器６１は、図９に示されるように、上面に開口６３が設けられた容器本体６２と、該容器本体６２の開口６３を開閉する上蓋６４とを備えて構成されている。容器本体６２及び上蓋６４は、合成樹脂を金型で成形することにより得られる。上蓋６４は、容器本体６２の背面側を軸として回動可能に支持されている。この上蓋６４は、容器本体６２の上面を覆って上記開口６３を閉塞する閉塞姿勢と、上記開口６３を開放する開放姿勢との間で姿勢変化可能に支持されている。
【００６７】
容器本体６２の前面側にはロック機構６８が設けられている。このロック機構６８は、容器本体６２に対して上蓋６４を固定するものであり、上蓋６４の前端に迫り出した庇部６９と、該庇部６９の上面に設けられた図示しない溝と、容器本体６２に設けられた断面形状が鉤状の固定具７０とを備えている。上蓋６４が容器本体６２に対して閉塞姿勢にされたときに、固定具７０を庇部６９側に移動させて、該固定具７０を上記溝に嵌め入れる。これにより、上蓋６４は容器本体６２に固定される。なお、固定具７０を庇部６９から離反する方向へ移動させることにより、上記溝から固定具７０が抜き出されて、上蓋６４の固定が解除される。
【００６８】
容器本体６２の前面側には、釣人の衣服（典型としてズボンのベルト）に餌箱６０を取り付けるための取付部７１が設けられている。取付部７１は、上記ロック機構６８から前方へ突出された後に下方へ延びるＬ字形状を呈する。この取付部７１を釣人の衣服に引っ掛けるようにして取り付けることで、釣人は餌箱６０を手に携えることなく、しかも直ぐに釣り餌を取り出すことができる状態で携行することができる。
【００６９】
容器本体６２の幅方向両端には、首掛けベルト７２を止めるバックル７３が設けられている。このバックル７３に首掛けベルト７２が挿通されている。釣人は、上記取付部７１を衣服に取り付けて餌箱６０を携行するだけでなく、首掛けベルト７２を首からかけて餌箱６０を携行することもできる。
【００７０】
容器本体６２は、図７から図９に示されるように、直方体形状に形成されている。この容器本体６２の内部には、該容器本体６２の外形と略同じ形状の収容室６５（図９参照）が設けられている。図８に示されるように、上記収容室６５に、上記餌箱１０が収容される。収容室６５の形状及び寸法は、上記餌箱１０の形状に対応して形成されている。具体的には、収容室６５に上記餌箱１０が収容された際に、適度に上記餌箱１０を保持しつつ、収容室６５から容易に上記餌箱１０を取り出すことが可能な形状及び寸法に形成されている。
【００７１】
上記収容室６５を区画する容器本体６２の内壁には、水抜き孔などの排水機構は設けられていない。すなわち、容器本体６２は、防水性を有する。したがって、収容室６５に収容された上記餌箱１０から水が漏れ出たとしても、その水は収容室６５に溜められる。このように、上記餌箱１０と防水容器６２とが組み合わされた本第２の実施形態に係る餌箱６０によれば、上記餌箱１０の不織布シート２７に吸い込ませていた水分が漏水して、上記餌箱１０に保管された釣り餌（カゲロウ類の幼虫）が死滅或いは乾燥することはない。
【００７２】
《第２の実施形態の変形例》
次に、上記第２の実施形態の変形例について説明される。ここに、図１０は、本変形例に係る餌箱７５を示す斜視図である。また、図１１及び図１２は、容器本体６２の収容室６５（図９参照）に収容される不織布シート７６を示す斜視図であり、図１１は、不織布シート７６が容器姿勢に屈曲変形された状態が示されており、図１２は、不織布シート７６が展開姿勢にされた状態が示されている。
【００７３】
本変形例に係る餌箱７５が上記第２の実施形態と異なるところは、上記第２の実施形態に係る餌箱６０が防水容器６１の収容室６５に餌箱１０が収容されるのに対し（図８参照）、本変形例では、防水容器６１の収容室６５に、図１１及び図１２に示される不織布シート７６が収容される点にある。なお、その他の構成要素については、上記第２の実施形態の餌箱６０の構成要素と共通するため、ここでは、共通する構成要素については、図１０に餌箱６０の構成要素と同符号を付すことによりその詳細な説明が省略される。
【００７４】
不織布シート７６は、絹や木綿などの天然繊維、或いは、ナイロンやアクリル、ポリエステルなどの人工繊維等を互いに交絡した状態で接着することによりシート状に形成されたものであり、この点は、上記第１の実施形態における不織布シート２７と同様である。当該不織布シート７６は、図１３に示されるように、展開された状態で十字形状を呈している。この不織布シート７６が屈曲されることによって、図１２に示される如く、底面部７７と、該底面部７７の４つの端縁それぞれに連続して設けられた４つの側壁７８とを有する容器形状に変形される。
【００７５】
不織布シート７６の一方の面には、底面部７７と各側壁７８との各境界部分に切り込み７９（図１３参照）が形成されている。不織布シート７６が展開された状態から上記切り込み７９が広げられる方向に不織布シート７６が屈曲されることによって、図１２に示される容器形状に変形される。
【００７６】
収容室６５の形状及び寸法は、図１２に示される容器形状に対応して形成されている。具体的には、不織布シート７６が上記容器形状（図１２参照）に屈曲変形された状態で収容室６５に収容された際に、上記容器形状を保持しつつ、収容室６５から容易に上記不織布シート７６を取り出すことが可能な形状及び寸法に形成されている。このように、上記不織布シート７６を上記容器形状に保持する防水容器６１は、本発明の保持具に相当する。このように、防水容器６１と不織布シート７６とが組み合わされた餌箱７５であれば、不織布シート７６の構成を簡素することができる。
【００７７】
なお、本第２の実施形態及びその変形例では、防水性を有する防水容器６１が採用された例が示されているが、防水性を有するか否かは本発明を実現する上で必須の要件ではない。したがって、上記餌箱６０及び餌箱７５は、防水性を有しない容器で構成されていてもかまわない。
【００７８】
また、上記変形例では、防水容器６１によって不織布シート７６が上記容器形状（図１２参照）に保持される例が示されているが、例えば、不織布シート７６が図１２に示される容器形状に屈曲変形された際に互いに衝合する側壁の縁部に、フックとループで構成される面ファスナーや、磁石と磁性体等によって構成される磁力吸着部材などの接合具を設け、防水容器６１によらずとも、不織布シート７６を上記容器形状（図１２参照）に保持し得る構成を採用してもかまわない。
【００７９】
《第３の実施形態》
図１３及び図１４は、本発明の第３の実施形態に係る餌箱８０の外観斜視図であり、図１３には、折り畳まれた折畳状態（折畳姿勢）の餌箱８０が示されており、図１４には、展開された展開状態（展開姿勢）の餌箱８０が示されている。
【００８０】
この餌箱８０は、渓流に生息する水棲昆虫、具体的には、トビケラ、カワゲラ、カゲロウなどの幼虫を釣り餌として収容するための容器として使用されるのみならず、上記幼虫を採取するための採取具としても使用されるものであり、この点は、上述の第１の実施形態に係る餌箱１０と同様である。以下、本発明の第３の実施形態に係る餌箱８０について詳述される。なお、上述した第１の実施形態に係る餌箱１０の構成要素と同じ構成要素については、図１３及び図１４に同符号を付すことによりその詳細な説明が省略される。
【００８１】
餌箱８０は、材質の異なる２種類のシートが厚み方向に積層された二層構造の二層シート８１で構成されている。この二層シート８１が後述される曲げ部８６で折り曲げられることによって、餌箱８０は、図１３に示される袋状の折畳姿勢に変化される。餌箱８０の形状が袋状に変化された状態で、該餌箱８０は、互いに対向するよう配置された一対の壁部８４，８５を備える。これら壁部８４，８５によって挟まれるようにして区画された隙間に、釣り餌となる水棲昆虫が収容される。すなわち、上記隙間が釣り餌が収容される収容空間である。
【００８２】
図１４に示されるように、餌箱８０を構成する二層シート８１は、材質の異なる２種類のシートが厚み方向に積層された二層構造を有する。具体的には、二層シート８１は、薄肉板状のフレーム８２と、不織布シート２７とを有しており、フレーム８２の片方の面に上記不織布シート２７が接着などによって貼り付けられることにより構成されている。これにより、二層シート８１の二層構造が実現されている。二層シート８１は、横長で薄肉の直方体形状を呈しており、横幅方向の中央付近で壁部８４と壁部８５とに分けられている。
【００８３】
フレーム８２は、合成樹脂を金型で成形することにより得られる。このフレーム８２の肉厚寸法は、餌箱８０の外形寸法に応じて適宜設定することができ、本実施形態では、概ね、１．０ｍｍ〜３．０ｍｍ程度に設定され得る。このフレーム８２は、屈曲変形に耐え得る可撓性を有するものであり、例えば、後述する曲げ部８６で１８０°に湾曲させることが可能である。
【００８４】
二層シート８１の横幅方向の中央付近に曲げ部８６が設けられている。この曲げ部８６は、二層シート８１の縦幅方向に延設されている。曲げ部８６に設けられた不織布シート２７には、溝状の切り欠き８３が形成されている。この切り欠き８３は、二層シート８１の縦幅方向に延設されており、本実施形態では、５つの切り欠き８３が所定間隔で並設されている。切り欠き８３は、断面が略Ｖ字形状に形成されており、不織布シート２７を内側にして二層シート８１が曲げ部８６で折り曲げられた際に、切り欠き８３の切欠面が合わさる程度の幅に設定されている。この切り欠き８３が設けられることで、曲げ部８６における二層シート８１の折り曲げが容易となるだけでなく、不織布シート２７を内側にして二層シート８１を折り曲げたときに曲げ部８６の内側で不織布シート２７が密となって折り曲げを阻害するという不具合を回避することができる。なお、本第３の実施形態では、５つの切り欠き８３を並設することとしたが、言うまでもなく、曲げ部８６の厚みなどに応じて当該切り欠き８３の数や寸法を適宜変更することができる。
【００８５】
餌箱８０が図１４に示される展開姿勢から図１３に示される折畳姿勢に変化されると、壁部８４の内壁面８４Ａと壁部８５の内壁面８５Ｂとが当接する。図１３及び図１４に示されるように、上記内壁面８４Ａ及び上記内壁面８５Ｂには、餌箱８０が折畳姿勢に変化された状態、すなわち、図１３に示される袋状に変化された状態を保持するための面ファスナー８７（本発明の保持具に相当）が設けられている。詳細には、面ファスナー８７は、内壁面８４Ａと内壁面８５Ａとが当接した際に合わせられる（衝合される）周縁に沿って設けられている。面ファスナー８７は、複数のフックが起毛されたフック部８７Ａと、複数のループが起毛されたループ部８７Ｂとによって構成されたものであり、上記フック部８７Ａが内壁面８４Ａの周縁に設けられ、上記ループ部８７Ｂが内壁面８５Ｂの周縁に設けられている。なお、本実施形態では、保持具の一例として面ファスナー８７が例示されるが、本発明の保持具がこれに限定されることはない。例えば、保持具の他の例として、内壁面８４Ａの周縁に磁石（本発明の磁力吸着部材に相当）を設け、内壁面８５Ｂの周縁に磁石或いは磁性体を設けてもよい。もちろん、餌箱８０が折畳姿勢（図１３参照）に変化された状態のときに壁部８４と壁部８５とを接合するものであれば、如何なるものを採用してもかまわない。
【００８６】
壁部８４及び壁部８５それぞれには、把手８８が設けられている。この把手８８は、細長の紐状部材の両端が壁部８４及び壁部８５それぞれの外壁面８４Ｂ，８５Ｂに固定されることにより構成される。この把手８８は、餌箱８０を持ち運ぶ場合は、持ち手として使用され、餌箱８０を図１４に示される展開姿勢に変化させる場合は、上記面ファスナー８７の係合を解除するための引き手として使用される。
【００８７】
上述の如く本実施形態に係る餌箱８０が構成されているため、餌箱８０は、図１４に示される展開姿勢から図１３に示される折畳姿勢に変形させることができる。したがって、図１４に示される展開姿勢に変化された状態では、餌箱８０は、カゲロウ類の幼虫を採取する採取具として用いることができる。なお、上記採取具として餌箱８０を使用する場合は、不織布シート２７を水中の石に軽く当接させて石の表面を撫でるようにスライドさせて、該不織布シート２７にカゲロウ類の幼虫を転移させる。カゲロウ類の幼虫を不織布シート２７に転移させた後は、餌箱８０を、図１４に示される展開姿勢から図１３に示される折畳姿勢に変形させる。これにより、採取されたカゲロウ類の幼虫を内部の隙間に収容することができる。このように、カゲロウ類の幼虫を指やピンセットなどで摘むことを要せずに該幼虫を餌箱８０内に収容することができるため、該幼虫に損傷を与えないで元気な状態で保管することができる。
【図面の簡単な説明】
【００８８】
【図１】図１は、本発明の第１の実施形態に係る餌箱１０の外観斜視図であり、蓋体１２が閉じられた状態の餌箱１０が示されている。
【図２】図２は、本発明の第１の実施形態に係る餌箱１０の外観斜視図であり、蓋体１２が開けられた状態の餌箱１０が示されている。
【図３】図３は、本発明の第１の実施形態に係る餌箱１０の外観斜視図であり、側壁１５が展開された状態の餌箱１０が示されている。
【図４】図４は、本発明の第１の実施形態に係る餌箱１０の外観斜視図であり、前壁１３及び両側壁１５，１６が展開された状態の餌箱１０が示されている。
【図５】図５は、本発明の第１の実施形態に係る餌箱１０の外観斜視図であり、餌箱１０が完全に展開された展開状態（展開姿勢）を示す斜視図である。
【図６】図６は、本発明の第１の実施形態に係る餌箱１０が完全に展開された展開状態（展開姿勢）を示す平面図である。
【図７】図７は、本発明の第２の実施形態に係る餌箱６０の外観斜視図であり、上蓋１１２が閉じられた状態の餌箱６０が示されている。
【図８】図８は、本発明の第２の実施形態に係る餌箱６０の外観斜視図であり、上蓋６４が開けられた状態の餌箱６０が示されている。
【図９】図９は、防水容器６１の外観斜視図である。
【図１０】図１０は、本変形例に係る餌箱７５を示す斜視図である。
【図１１】図１１は、容器本体６２の収容室６５に収容される不織布シート７６を示す斜視図であり、不織布シート７６が容器姿勢に屈曲変形された状態が示されている。
【図１２】図１２は、容器本体６２の収容室６５に収容される不織布シート７６を示す斜視図であり、不織布シート７６が展開姿勢にされた状態が示されている。
【図１３】図１３は、本発明の第３の実施形態に係る餌箱８０の外観斜視図であり、折り畳まれた折畳状態（折畳姿勢）の餌箱８０が示されている。
【図１４】図１４は、本発明の第３の実施形態に係る餌箱８０の外観斜視図であり、展開された展開状態（展開姿勢）の餌箱８０が示されている。
【符号の説明】
【００８９】
１０・・・餌箱
１１・・・容器本体
１２・・・蓋体
１３・・・前壁
１４・・・後壁
１５，１６・・・側壁
１７・・・底面部
１８・・・把手
２０・・・開口
２１・・・餌収容室
２５・・・二層シート
２６・・・フレーム本体
２７・・・不織布シート
３８，４０，４２，４４・・・切り欠き
３９，４１，４３，４５・・・突起片
４６〜４９・・・折目溝
６０・・・餌箱
６１・・・防水容器
６２・・・容器本体
７５・・・餌箱
７６・・・不織布シート
８０・・・餌箱
８１・・・二層シート
８２・・・フレーム
８３・・・切り欠き
８４，８５・・・壁部
８６・・・曲げ部
８７・・・面ファスナー
８８・・・把手
【図１】
2008029275.tif 000003
【図２】
2008029275.tif 000004
【図３】
2008029275.tif 000005
【図４】
2008029275.tif 000006
【図５】
2008029275.tif 000007
【図６】
2008029275.tif 000008
【図７】
2008029275.tif 000009
【図８】
2008029275.tif 000010
【図９】
2008029275.tif 000011
【図１０】
2008029275.tif 000012
【図１１】
2008029275.tif 000013
【図１２】
2008029275.tif 000014
【図１３】
2008029275.tif 000015
【図１４】
2008029275.tif 000016